(57)【要約】【課題】  電動工具を使用し作業をしている時に、電動工具の引掛フックを腰ベルトに掛けての使用はフックを掛けているだけで、身体を動かした時に外れて落ちることがあり、カラナビに掛けて使用する場合等では、電動工具を操作してカラナビのゲートを開け閉めする必要がある。  本発明は、抜け落ち防止があり吊り下げや取り外しが容易なベルトフック鞘を提供する。【解決手段】  電動工具の引掛フックが入る大きさの楕円形の筒状で、抜け防止の部品と抜け止め固定解除板を内側に組み合わせて設け、抜け止め固定解除板を押さえる部品を設け、本体を装着して使用する、吊り下げＤ環と腰ベルトに通して使う部品を設けたことを特徴とするベルトフック鞘。【選択図】図１
2017052076.tif 000002
【特許請求の範囲】
【請求項１】
電動工具に装着されている引掛フックが入る大きさで楕円形の筒状に、引掛フック抜け止め部品の先を筒状部分の中に下方に挿入し、引掛フック抜け止め部品の先端は楕円形で長辺の前部内側に押さえて付くように上部構造部分の根元を少し後ろ側に曲げて傾きを付け、バネとして作用する引掛フック抜け止め部品を設け、引掛フック抜け止め部品が貫通する開口がある抜け止め固定解除板を筒状部分内に挿入し、開口と引掛フック抜け止め部品を組み合わせて抜け止め固定解除板組み付け開口の範囲で移動が出来る抜け止め固定解除板で、抜け止め固定解除板押さえ部品を設けたベルトフック鞘。
【発明の詳細な説明】
【技術分野】
【０００１】  本発明は、電動工具の引掛フックを腰ベルトに掛けて使用するとき、抜けて落ちないように、落下を防止する固定装置を提供しなおかつ、ロックの解除は簡単な操作で、電動工具の吊り下げや使用時の取り外しは単純な動作で出来る。
ベルトフック鞘に関するものである。
【背景技術】
【０００２】  電動工具の引掛フックを腰ベルトに掛けて使用している。または、引掛フックをカラナビ対応のフックに付け替え、カラナビに掛けて使用している。
【先行技術文献】
【特許文献】
【０００３】
【特許文献１】特開２０１１−１０１９１９号公報
【特許文献２】特開２０１１−２３５３７２号公報
【発明の概要】
【発明が解決しようとする課題】
【０００４】  電動工具の引掛フックを腰ベルトに掛けて使用している時はフックを掛けているだけで、身体を動かした時に外れて落ちる事があり、カラナビ等に掛ける場合では電動工具や引掛フックでカラナビのゲートを押し込んで掛け、さらに取り外す時には、片方の手で電動工具を持ちもう片方の手でカラナビのゲートを開放して使用する方法で両手を必要とする操作か、特許文献１、特許文献２では片手だけで取り外せますが、電動工具を操作してカラナビのゲートを開放する必要がある。
【課題を解決するための手段】
【０００５】  電動工具の引掛フックが入る大きさで楕円形の筒状に、引掛フック抜け止め部品を筒の中に設け、抜け止め固定解除板を筒の中に入れ引掛フック抜け止め部品と組み合わせて設け、抜け止め固定解除板を押さえる部品を設け、本体を吊り下げて掛けるＤ環を設け、腰ベルトに通して使う部品を設ける。
以上の構成よりなるベルトフック鞘。
【発明の効果】
【０００６】  楕円形の筒状の外形で電動工具のフックが収まる形状に引掛フック抜け止め部品を設けたもので、カラナビに電動工具のフックを掛ける時のように、電動工具を持ちながら動かしカラナビのゲートを開放する動作をする必要が無く、筒にフックを差し込み掛けるだけで抜け止めが利き、電動工具の吊り下げは簡単である。
取り外す時も、カラナビでは電動工具を持ちながら動かしカラナビのゲートを開放し、ゲートの開放を保ちながら外す操作が必要ですが、本発明では、抜け止め固定解除板を押し下げると引掛フックの抜け止めが解除され、単純に持ち上げる動作で取り外しが出来る。
【図面の簡単な説明】
【０００７】
【図１】本発明の斜視図
【図２】本発明の分解斜視図
【図３】本発明の正面図
【図４】本発明の左側面図
【図５】本発明の使用状態を示す斜視図
【図６】本発明の使用状態を示す図４Ａ−Ａ断面図
【図７】本発明の使用状態を示す正面図
【図８】本発明の使用状態を示す左側面図
【図９】本発明の使用状態を示す図８Ｂ−Ｂ断面図
【図１０】電動工具本体の図
【発明を実施するための形態】
【０００８】  以下、本発明の実施の形態を説明する。
（イ）  電動工具の引掛フック（１０）の、先からＵ字形の曲げ部分までが収まる、楕円形の筒状で上部は、長辺の後ろを上に伸ばし根元で後ろ側に少し曲げて傾きを付け、その先には吊り下げＤ環（６）を取り付ける。これらを上部構造部分とする。
下部は、長辺の前から斜めに長辺の後ろの下部まで、前からでは後ろの奥が見えるように、前を短く後ろが長くなるように斜めに切り取った形状がベルトフック鞘本体の外見で引掛フック収納鞘（１）である。
（ロ）  引掛フック収納鞘（１）の上部構造部分の中央付近にネジ穴を設け、バネとしての作用もある、引掛フック抜け止め部品（２）を、先を下方に筒状部分の中に入れ、上部構造部分で後ろ側に少し曲げて設けた傾きで、引掛フック抜け止め部品（２）の先が、長辺の前の内側に押さえて付くように、ネジ１（８）で固定する。
（ハ）  引掛フック収納鞘（１）の筒状部分に、抜け止め固定解除板組み付け開口（３１）は下に、開口（４）が上の状態で、抜け止め固定解除板（３）を挿入し、ネジ２（９）で止める。
この時、開口（４）に引掛フック抜け止め部品（２）が貫通し、その先端は引掛フック収納鞘（１）の、楕円形の筒状で、長辺の前の内側に押さえて付いている状態である。
また、ネジ２（９）は強く締め付けずに、抜け止め固定解除板（３）が抜け止め固定解除板組み付け開口（３１）の範囲で移動して動くように調整し組み合わせた状態である。
（ニ）  引掛フック収納鞘（１）の筒状部分から長辺の後ろで最下部に、抜け止め固定解除板押さえ部品（５）を取り付け、ネジ２（９）で固定する。
（ホ）  ベルトフック鞘を腰ベルトに通して使う、ベルト装着部品（７）を引掛フック収納鞘（１）に、長辺の後ろで外側に腰ベルトが通る隙間を開けてネジ１（８）とネジ２（９）で固定する。
本発明は以上のような構造である。
【０００９】  本発明を使用するときは、ベルトフック鞘を吊り下げＤ環（６）でカラナビ等に吊り下げて掛けるか、ベルト装着部品（７）を腰ベルトに通し装着しておく。
このとき、抜け止め固定解除板（３）は、上にあげた状態である。図３、図４参照。
そして、抜け止め固定解除板（３）の開口（４）に、引掛フック抜け止め部品（２）が貫通し、その先端は引掛フック収納鞘（１）の、楕円形の筒状で、長辺の前の内側に押さえて付いている状態である。図１、図６参照。
そこで、電動工具を吊り下げるときは、電動工具の引掛フック（１０）を、フックの先からＵ字形の曲げ部分まで、引掛フック収納鞘（１）の、長辺の前の内側と、抜け止め固定解除板（３）との間の空間に挿入する。図５参照。
電動工具のフックを差し込んで吊り下げたこの時点で、電動工具の引掛フック（１０）の、先の部分の内側に、引掛フック抜け止め部品（２）が貫通した状態になり抜けなくなる。図６参照。
次に、電動工具を取り外すときは、抜け止め固定解除板（３）を下方に押し下げると、引掛フック抜け止め部品（２）による抜け止めが解除されて、電動工具の引掛フック（１０）も開放された状態になる。図８図９参照。
これは、抜け止め固定解除板（３）を押し下げると、抜け止め固定解除板（３）の開口（４）に貫通していた引掛フック抜け止め部品（２）がバネとなり曲がり、抜け止め固定解除板（３）の開口（４）が無くなり塞がるまで押し下げると、引掛フック収納鞘（１）の長辺の前の内側に付いていた引掛フック抜け止め部品（２）の先端はそこから離れ、抜け止め固定解除板（３）の後ろ側に付き、引掛フック収納鞘（１）の長辺の前の内側と抜け止め固定解除板（３）の前の間に挿入してある電動工具の引掛フック（１０）の抜け止めが解除される。
これで、電動工具を持ち上げる単純な動作で取り外しができる。
【符号の説明】
【００１０】  １  引掛フック収納鞘、
２  引掛フック抜け止め部品、
３  抜け止め固定解除板、
４  開口、
５  抜け止め固定解除板押さえ部品、
６  吊り下げＤ環、
７  ベルト装着部品、
８  ネジ１、
９  ネジ２、
１０  電動工具の引掛フック、
１１  電動工具本体、
３１  抜け止め固定解除板組み付け開口
【図１】
2017052076.tif 000003
【図２】
2017052076.tif 000004
【図３】
2017052076.tif 000005
【図４】
2017052076.tif 000006
【図５】
2017052076.tif 000007
【図６】
2017052076.tif 000008
【図７】
2017052076.tif 000009
【図８】
2017052076.tif 000010
【図９】
2017052076.tif 000011
【図１０】
2017052076.tif 000012